(57)【要約】      （修正有）【課題】情報処理端末を当該端末ユーザの吐息によって特定の操作をする。【解決手段】情報処理端末１０は、ユーザに表示内容を視認可能な状態に置く表示部６００と、前記ユーザが前記表示部の表示面に向かって吐いた吐息の圧力または温度を検知する検知手段とを備え、前記検知手段において閾値以上の圧力または温度が検知されたときには、該検知に対応付けられた特定の処理を実行する。【選択図】図１
2014235725.tif 000002
【特許請求の範囲】
【請求項１】
ユーザに表示内容を視認可能な状態に置く表示部と、
前記ユーザが前記表示部の表示面に向かって吐いた吐息の圧力または温度を検知する検知手段とを備え、
前記検知手段において閾値以上の圧力または温度が検知されたときには、該検知に対応付けられた特定の処理を実行する情報処理端末。
【請求項２】
前記特定の処理は前記表示部の照度を減少する請求項１に記載の情報処理端末。
【請求項３】
前記特定の処理は前記表示部に前記第１画面とは別の第２画面を表示する請求項１に記載の情報処理端末。
【請求項４】
前記第２画面は前記第１画面を断片化した構成要素をランダムに表示して構成される請求項３に記載の情報処理端末。
【請求項５】
前記特定の処理は端末電源をオフする請求項１に記載の情報処理端末。
【請求項６】
ネットワークを介してサーバと接続され、特定のサイトにログインした端末において、
ユーザに表示内容を視認可能な状態に置く表示部と、
前記ユーザが前記表示部の表示面に向かって吐いた吐息の圧力または温度を検知する検知手段とを備え、
前記検知手段において閾値以上の圧力または温度が検知されたときに、前記サイトよりログオフ処理を実行するログオフ機構。
【発明の詳細な説明】
【技術分野】
【０００１】  本発明は、表示部表面に向け排気されたユーザの吐息を検知して特定の処理を行う端末に関する。
【背景技術】
【０００２】
【先行技術文献】
【特許文献１】  特開２００６−１４０６２１号公報
【発明の概要】
【発明が解決しようとする課題】
【０００３】  従前、話者が発する言葉を文字または音声情報に変換するに当たり、当該話者の吐息の量、スピードを計測し、それらを言語推定の要素とする携帯電話に関する発明がされていた。
しかし、ここでの吐息の検出は、あくまでも唇等の動きだけでは十分正確に推定し切れない濁音、半濁音の正確な認識をするための補足的な計測で、ユーザが意図的に吐息を排気することで端末の操作を行なうことを直接の目的とするものではない。
本件発明は、特定の処理目的のために、端末の操作を手指を用いることなく、より迅速かつ効率的に操作することができるように発明されたものである。
【課題を解決するための手段】
【０００４】  本発明は、表示部表面に向けて排気されたユーザの吐息のゲージ圧または絶対圧の変化を、表示部表面に圧力（導入）管の開口部を有する第１検知手段により検知し、当該圧力が所定の閾値以上の値をとったときに、予め定められた特定の処理を実行する情報処理端末に関する。【０００５】  または、表示部側の端末表面に向けて排気されたユーザの吐息の常温に対する温度の変化を、第２検知手段により検知し、当該温度が所定の閾値以上の値をとったときに、予め定められた特定の処理を実行する情報処理端末に関する。
【発明の効果】
【０００６】  本件発明により、操作者が手指を用いることなく、迅速な端末の操作を行なうことができる。
【図面の簡単な説明】
【０００７】
【図１】  本発明の第１実施形態に係る端末の外観図、
【図２】  本発明の第１実施形態に係る端末の外観説明図、
【図３】  本発明の第２実施形態に係る機能ブロック図。
【発明を実施するための形態】
【０００８】（第１実施形態）
本発明の第１実施形態に係る機構について、図面を参照しながら説明する。
【０００９】（端末１０のハードウェア構成）
図１は、本発明の第１実施形態に係る端末の外観を示すブロック図である。
本発明の第１実施形態に係る端末（１０）は表示部（６００）を有し、その内部には、演算部（１００）とセンサ（２００）を備える。演算部（１００）は、信号処理手段（１１０）、判定手段（１２０）、処理実行手段（１３０）により構成される。センサ（２００）は媒介する気体を取り込むための圧力（導入）管の開口部（２１０）を端末（１０）の表面上、表示部（６００）の側、より好ましくはその近傍に有する。
【００１０】  センサ（２００）は、表示部（６００）側の端末（１０）の表面に向けて排気されるユーザの吐息を表示部（６００）の近傍に形成された圧力（導入）管の開口部（２１０）より吸引し、吸引された吐息の大気圧または真空に対する圧力を計測する。
【００１１】  信号処理手段（１１０）は、センサ（２００）から出力される測定信号の強度に応じて電気信号に変換し、電気信号として出力する。
【００１２】  センサ（２００）および信号処理手段（１１０）は、吐息により生ずる流体の圧力または温度変化を電気信号に変換するものであればよい。
例えば、圧力変化に関しては、真空または大気圧に対するダイヤフラムにおける抵抗値の変化を電気信号に変換する半導体圧力センサであってもよい。また、図示はしていないが、温度変換に関しては、吐息により生ずる温度変化を電気信号に変えるＩＣ化（半導体）温度センサであってもよい。
【００１３】  判定手段（１２０）は、ＣＰＵ（Ｃｅｎｔｒａｌ  Ｐｒｏｃｅｓｓｉｎｇ  Ｕｎｉｔ）等の演算処理回路、メモリ等の記憶手段を含み、メモリに記憶されたプログラムをＣＰＵにより実行させて、信号処理手段（１１０）からの電気信号の出力に基づき、表示部（６００）に向けて排気された吐息の圧力値または温度を判定し、当該数値が所定の数値以上となったときに処理実行手段（１３０）に対して予め定められた特定の処理の実行を指示する。
【００１４】  処理実行手段（１３０）は、判定手段（１２０）からの指示に対応付けられた、端末（１０）における特定の処理を実行する。
【００１５】（端末１０の機能構成）
判定手段（１２０）からの指示に対応付けられた特定の処理とは、例えば、図２（ａ）に示すように、表示部（６００）の照度を減少させるか、または消灯することであってもよい（６１０）。
【００１６】  この場合、端末（１０）のユーザは表示部（６００）に向かって吐息を排気する以外の操作を要することなく迅速に、表示部に表示された内容を他のユーザより見られることを阻止することができる。
【００１７】  さらには、表示部（６００）に表示されている画面とは別の画面を一時的に表示することで、現在表示されている画面に対する他のユーザの閲覧の可能性を阻止してもよい。
【００１８】  あるいは、図２（ｂ）に示すように、表示部（６００）に表示されている画面を複数の断片に裁断して、ランダムに表示する（６２０）ことで、他のユーザの閲覧の可能性を阻止することもできる。
【００１９】  このような機能構成により、表示部（６００）に表示されていた画面上の機密性の高い内容の情報を他人に盗み見られそうになったときに隠蔽したいときには、ユーザは表示部（６００）に向かって吐息を排気することで、圧力（導入）管の開口部（２１０）より吸気された流体の圧力または温度の変化をセンサ（２００）が検知することで、表示部（６００）の照度が低下または消灯したり、または別の画面に切り替わったり、あるいは当該画面を複数の断片に分解してランダムに表示したりして、即座に隠蔽することが可能となる。
【００２０】（第２実施形態）
図３は端末（１０）がネットワークを介してサーバ（２０）と通信をしていることを示す説明図である。
【００２１】  端末（１０）を用いてインターネット経由の電子商取引等を行う際には、通常本人認証処理を経た後、端末（１０）とサーバ（２０）との間にセッションが確立される。セッション確立後はユーザにおいてログ・アウト処理のための端末操作を行なうのが通常予定されているが、ユーザの中にはセッション確立後にログ・アウト処理を経ずに端末（１０）の電源を落としたり、あるいは、強制的に当該電子商取引を終了したりする向きもある。
【００２２】  こうした場合、ログイン処理により一旦は確立したセッションは、セッション情報として依然サーバに保持され、当該セッション情報を用いてなお当該ユーザとして取引処理を実行し得る状態にある。
【００２３】  こうした状態において、第三者が当該セッション情報を不正に作出してサーバ（２０）にアクセスをした場合、正当なユーザになりすまして取引処理を続行することも可能な場合があり、情報セキュリティ上の問題を生ずることにもなりかねない。
【００２４】  かかる状態はもっぱらログ・アウト処理のための操作が一般のユーザにとっては煩瑣であるからである。
【００２５】  ここに本発明によれば、端末（１０）の表示部（６００）に向かってユーザが吐息を排気し、センサ（２００）が吐息により生じた流体に基づく圧力変化または温度変化を検知し、信号処理手段（１１０）からの出力信号に基づき、処理実行手段（１３０）がログイン状態をログ・アウト処理を行うことで、ユーザはログ・アウト処理に係る操作から解放されるから、インターネット等を介した電子商取引の安全度合いを向上させることができる。
【００２６】（第３実施形態）
さらには、センサ（２００）がユーザの吐息を検知することで、現在稼動しているアプリケーション・ソフトウェアとオペレーション・ソフトウェアを順に稼動停止状態に移行した後に、端末自体の電源を落とすように構成してもよい。
【００２７】  こうすることで、端末（１０）のユーザは正規の操作手順を逐一実行することなく、ソフトウェアの稼動を停止し、端末（１０）の電源を効率的に落とすことができる。
【００２８】  さらには、端末（１０）の電源を落とすまでは至らずとも、稼働中のアプリケーション・ソフトウェアおよびオペレーション・ソフトウェアをいったん強制的に停止した後、再度、オペレーション・ソフトウェアを起動するように構成してもよい。
【００２９】  これにより、ソフトウェアが稼働中に無応答状態に陥った場合であっても、ユーザは迅速に端末操作を復旧することができる。
【００３０】  なお、端末は表示部とキーボード等を供えた入力操作部が一定の回転軸を中心として回動可能に接合されて構成されていてもよく、その場合のセンサの圧力（導入湯）管開口部は表示部と同一表面上に配設されていてもよいし、入力操作部と同一表面上に配設されていてもよい。
【符号の説明】
【００３１】１０        端末
２００      センサ
２１０      圧力管または圧力導入管開口部
６００、６１０、６２０  表示部
【図１】
2014235725.tif 000003
【図２】
2014235725.tif 000004
【図３】
2014235725.tif 000005